【事件の表示】
　特許第３３７６０４０号「眼撮影装置」の請求項１、２に係る特許に対する特許異議の申立てについて、次のとおり決定する。
【結　論】
　訂正を認める。
　特許第３３７６０４０号の請求項１に係る特許を維持する。
【理　由】
１．手続の経緯
　
　本件の特許第３３７６０４０号の請求項１，２に係る発明は、平成５年９月１０日に特許出願され、平成１４年１１月２９日にその特許権の設定登録がなされ、その後、異議申立人吉澤周より特許異議の申立てがなされ、取消の理由が通知され、その指定期間内である平成１６年３月５日に訂正請求がなされたものである。
　
２．訂正の適否についての判断
　
２−（１）訂正の内容
　
（訂正事項ａ）
　特許明細書の特許請求の範囲の請求項１の「照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタを撮影光路に挿脱自在に設けた撮影光学系と、３色に色分解するための色分解光学系・該色分解光学系に対応し赤外及び赤色領域に感度を有するＲ撮像素子・緑色領域に感度を有するＧ撮像素子・青色領域に感度を有するＢ撮像素子を設け被検眼を観察撮影するためのテレビカメラと、蛍光撮影と赤外蛍光撮影を選択可能な撮影モード選択手段と、該撮影モード選択手段により前記蛍光撮影が選択されると、前記照明光学系に前記照明用蛍光フィルタを挿入し前記撮影光学系に前記撮影用蛍光フィルタを挿入すると共に前記Ｇ撮像素子からの撮像信号を出力するように処理し、前記赤外蛍光撮影が選択されると、前記照明光学系に前記照明用赤外蛍光フィルタを挿入し前記撮影光学系に前記撮影用赤外蛍光フィルタを挿入すると共に前記Ｒ撮像素子からの撮像信号を出力するように処理する信号処理手段とを備えたことを特徴とする眼撮影装置。」を、
「照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタ及び赤外光をカットする赤外カットフィルタを撮影光路に挿脱自在に設けた撮影光学系と、３色に色分解するための色分解光学系・該色分解光学系に対応し赤外及び赤色領域に感度を有するＲ撮像素子・緑色領域に感度を有するＧ撮像素子・青色領域に感度を有するＢ撮像素子を設け被検眼の眼底を撮影するためのテレビカメラと、蛍光撮影モード、赤外蛍光撮影モード、カラー撮影モード、前記Ｒ、Ｇ、Ｂの３つの撮像素子の１つによる単色撮影モードの選択が可能な撮影モード選択手段と、該撮影モード選択手段により前記蛍光撮影モードが選択されると、前記照明光学系に前記照明用蛍光フィル夕を挿入し前記撮影光学系に前記撮影用蛍光フィルタを挿入すると共に前記Ｇ撮像素子からの撮像信号を出力するように処理し、前記赤外蛍光撮影モードが選択されると、前記照明光学系に前記照明用赤外蛍光フィルタを挿入し前記撮影光学系に前記撮影用赤外蛍光フィルタを挿入すると共に前記Ｒ撮像素子からの撮像信号を出力するように処理し、前記カラー撮影モードが選択されると、前記赤外カットフィルタを前記撮影光学系に挿入し前記Ｒ、Ｇ、Ｂの３つの撮像素子からの撮像信号を共に出力するように処理し、前記Ｒ、Ｇ、Ｂの３つの撮像素子のうちの１つの撮像素子を選択した前記単色撮影モードが選択されると、前記赤外カットフィルタを前記撮影光学系に挿入し選択された前記撮像素子からの撮像信号を出力するように処理する信号処理手段とを備えたことを特徴とする眼撮影装置。」と訂正する。
　
（訂正事項ｂ）
　特許明細書の特許請求の範囲の請求項２の「前記モード選択手段は更にカラー撮影モードを有し、該カラー撮影モードが選択されると赤外カットフィルタを前記撮影光学系に挿入し、前記信号処理手段は前記Ｒ・Ｇ・Ｂ撮像素子からの信号を出力するように処理することを特徴とする請求項１に記載の眼撮影装置。」を削除する。
　
（訂正事項ｃ）
　特許明細書の段落番号【０００６】の「【課題を解決するための手段】　上記目的を達成するための本発明に係る眼撮影装置は、照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタを撮影光路に挿脱自在に設けた撮影光学系と、３色に色分解するための色分解光学系・該色分解光学系に対応し赤外及び赤色領域に感度を有するＲ撮像素子・緑色領域に感度を有するＧ撮像素子・青色領域に感度を有するＢ撮像素子を設け被検眼を観察撮影するためのテレビカメラと、蛍光撮影と赤外蛍光撮影を選択可能な撮影モード選択手段と、該撮影モード選択手段により前記蛍光撮影が選択されると、前記照明光学系に前記照明用蛍光フィルタを挿入し前記撮影光学系に前記撮影用蛍光フィルタを挿入すると共に前記Ｇ撮像素子からの撮像信号を出力するように処理し、前記赤外蛍光撮影が選択されると、前記照明光学系に前記照明用赤外蛍光フィルタを挿入し前記撮影光学系に前記撮影用赤外蛍光フィルタを挿入すると共に前記Ｒ撮像素子からの撮像信号を出力するように処理する信号処理手段とを備えたことを特徴とする。」を、
「【課題を解決するための手段】　上記目的を達成するための本発明に係る眼撮影装置は、照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタ及び赤外光をカットする赤外カットフィルタを撮影光路に挿脱自在に設けた撮影光学系と、３色に色分解するための色分解光学系・該色分解光学系に対応し赤外及び赤色領域に感度を有するＲ撮像素子・緑色領域に感度を有するＧ撮像素子・青色領域に感度を有するＢ撮像素子を設け被検眼の眼底を撮影するためのテレビカメラと、蛍光撮影モード、赤外蛍光撮影モード、カラー撮影モード、前記Ｒ、Ｇ、Ｂの３つの撮像素子の１つによる単色撮影モードの選択が可能な撮影モード選択手段と、該撮影モード選択手段により前記蛍光撮影モードが選択されると、前記照明光学系に前記照明用蛍光フィルタを挿入し前記撮影光学系に前記撮影用蛍光フィルタを挿入すると共に前記Ｇ撮像素子からの撮像信号を出力するように処理し、前記赤外蛍光撮影モードが選択されると、前記照明光学系に前記照明用赤外蛍光フィルタを挿入し前記撮影光学系に前記撮影用赤外蛍光フィルタを挿入すると共に前記Ｒ撮像素子からの撮像信号を出力するように処理し、前記カラー撮影モードが選択されると、前記赤外カットフィルタを前記撮影光学系に挿入し前記Ｒ、Ｇ、Ｂの３つの撮像素子からの撮像信号を共に出力するように処理し、前記Ｒ、Ｇ、Ｂの３つの撮像素子のうちの１つの撮像素子を選択した前記単色撮影モードが選択されると、前記赤外カットフィルタを前記撮影光学系に挿入し選択された前記撮像素子からの撮像信号を出力するように処理する信号処理手段とを備えたことを特徴とする。」と訂正する。
　
（訂正事項ｄ）
　特許明細書の段落番号【０００７】の「【作用】　上述の構成を有する眼撮影装置において、テレビカメラに入射した光東は、色分解光学系において３色に分光され、Ｒ、Ｇ、Ｂ撮像素子でそれぞれ受光される。撮影モード選択手段により蛍光撮影が選択されると、光路中に蛍光フィルタを挿入すると共にＧ撮像素子からの撮像信号を出力し、赤外蛍光撮影が選択されると、赤外蛍光フィルタを挿入すると共にＲ撮像素子からの撮像信号を出力する。」を、
「【作用】　上述の構成を有する眼撮影装置において、テレビカメラに入射した光束は、色分解光学系において３色に分光され、Ｒ、Ｇ、Ｂ撮像素子でそれぞれ受光される。撮影モード選択手段により蛍光撮影モードが選択されると、光路中に蛍光フィルタを挿入すると共にＧ撮像素子からの撮像信号を出力し、赤外蛍光撮影モードが選択されると、赤外蛍光フィルタを挿入すると共にＲ撮像素子からの撮像信号を出力し、カラー撮影モードが選択されると、赤外力ットフィルタを挿入しＲ、Ｇ、Ｂ撮影素子からの撮像信号を出力し、単色撮影モードが選択されると赤外力ットフィルタを挿入し、選択されたＲ、Ｇ、Ｂ撮像素子の１つからの撮像信号を出力する。」と訂正する。
　
（訂正事項ｅ）
　特許明細書の段落番号【００２２】の「【発明の効果】　以上説明したように本発明に係る眼撮影装置は、テレビカメラに入射した光東は、色分解光学系において３色に分光され、Ｒ、Ｇ、Ｂの撮像素子にそれぞれ受光され、撮影モード選択手段により蛍光撮影が選択されると蛍光フィルタを用いたＧの撮像素子からの撮像信号が得られ、赤外蛍光撮影が選択されると赤外蛍光フィルタを用いたＲの撮像素子からの撮像信号が得られるので、様々な撮影モードに容易に対応することができる。」を、
「【発明の効果】　以上説明したように本発明に係る眼撮影装置は、テレビカメラに入射した光束は、色分解光学系において３色に分光され、Ｒ、Ｇ、Ｂの撮像素子にそれぞれ受光され、撮影モード選択手段により蛍光撮影が選択されると蛍光フィルタを用いたＧの撮像素子からの撮像信号が得られ、赤外蛍光撮影が選択されると赤外蛍光フィルタを用いたＲの撮像素子からの撮像信号が得られるなど、様々な撮影モードこ容易に対応することができる。」と訂正する。
　
２−（２）訂正の目的の可否、新規事項の追加の有無及び拡張・変更の存否
　
　（記訂正事項ａ）は、特許請求の範囲の減縮及び明りょうでない記載の釈明を目的とするものである。
　この訂正は、特許明細書の請求項２の記載、段落番号【００１３】、【００１４】、【００１６】（「６個の選択釦４０ａ〜４０ｆを有する撮影モード選択手段４０」）、【００１９】（「撮影モード選択手段４０の６個の選択釦４０ａ〜４０ ｆを選択して撮影モードを決定する。」）、【００２０】（「カラー撮影を行う場合は選択釦４０ｂを押し、単色撮影を行う場合には選択釦４０ａ〜４０ ｆを押す。・・・・また単色撮影時には、選択手段４０の選択釦４０ｄ〜４０ｆの入力に応じて、Ｂチャンネル、Ｇチャンネル又はＲチャンネルの信号が取り出され、青色像、緑色像又は赤外像がメモリ４１に記憶されてテレビモニタ４３にも映出される。」）の記載に基づくものであり、願書に添付した明細書又は図面に記載した事項の範囲内のものである。
　
　（訂正事項ｂ）は、請求項２の構成要件を請求項１に加えたため、この請求項２を削除するものであり、特許請求の範囲の減縮を目的とするものである。
　
　（訂正事項ｃ）は、（訂正事項ａ）による特許請求の範囲の請求項１の訂正に伴う整合を図るため、発明の詳細な説明中の段落番号【０００６】の【課題を解決する手段】の欄を訂正するものであり、明りょうでない記載の釈明を目的とするものである。
　（訂正事項ｃ）は、特許明細書の請求項２の記載、段落番号【００１３】、【００１４】、【００１６】、【００１９】、【００２０】の記載に基づくものであり、願書に添付した明細書又は図面に記載した事項の範囲内のものである。
　
　（訂正事項ｄ）は、（訂正事項ａ）による特許請求の範囲の請求項１の訂正に伴う整合を図るため、発明の詳細な説明中の段落番号【０００７】の【作用】の欄を訂正するものであり、明りょうでない記載の釈明を目的とするものである。
　（訂正事項ｄ）は、特許明細書の請求項２の記載、段落番号【００１３】、【００１４】、【００１６】、【００１９】、【００２０】の記載に基づくものであり、願書に添付した明細書又は図面に記載した事項の範囲内のものである。
　
　（訂正事項ｅ）は、（訂正事項ａ）による特許請求の範囲の請求項１の訂正に伴う整合を図るため、発明の詳細な説明中の段落番号【００２２】の【発明の効果】の欄を訂正するものであり、明りょうでない記載の釈明を目的とするものである。
　（訂正事項ｅ）は、特許明細書の段落番号【００２０】に基づくものであり、願書に添付した明細書又は図面に記載した事項の範囲内のものである。
　
　さらに、これら（訂正事項ａ）乃至（訂正事項ｅ）は、実質上特許請求の範囲を拡張し、又は変更するものではない。
　
２−（３）むすび
　
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議申立てについての判断
　
３−（１）特許異議申立ての理由の概要
　
　特許異議申立人吉澤周は、証拠として下記の刊行物１，２を提出して、本件の請求項１に係る発明は、刊行物１に記載された発明と同一、あるいは、甲第１号証に記載された発明に基いて当業者が容易に発明をすることができたものである、また、本件の請求項２に係る発明は、刊行物１，２に記載された発明に基いて当業者が容易に発明をすることができたものである、旨主張している。
　
刊行物１：特開平１−３００９２６号公報
刊行物２：特開昭６２−９４１３４号公報
　
３−（２）本件発明
　
　上記のとおり訂正は認められるから、本件の請求項１に係る発明（以下、「本件発明」という。）は、訂正明細書の特許請求の範囲の請求項１に記載されたとおりのものである。（（訂正事項ａ）を参照。）
　
３−（３）各刊行物に記載された事項
　
　刊行物１には、眼底カメラに関して、以下の事項が記載・図示されている。
　
（１ａ）「１つの装置において、赤外光による赤外蛍光撮影と、例えば可視光や赤外光などの赤外蛍光以外の観察撮影用照明光による撮影をもできる眼底カメラを提供すること目的とするものである。」（２頁左下欄１８行−右下欄２行）、
　〈第１実施例〉の眼底カメラの使用について、
「１（丸数字）通常観察」として、（２ａ）「被検眼Ｅの眼底Ｅｆを検者が観察する場合には、クイックリターンミラー２９を観察光学系の光軸上から破線の如く外しておくと共に、・・・・ハロゲンランプ２を点灯して、照明光を・・・・眼底Ｅｆに照射する。・・・・この照射により眼底Ｅｆで反射した反射光は・・・・このピント板２２には反射光による眼底像が結像され、・・・・検者眼２６により観察される。尚、第１受光部２７の出力信号を基に眼底像を図示しないモニターＴＶに写し出して観察することもできる。」（４頁左下欄１８行−右下欄２０行）、（３ａ）「第１受光部２７には、可視カラー撮影、可視白黒撮影、赤外光による撮影等の何れか一つ、若しくは此れらの複数又は全部が行えるＣＣＤ又はＴＶカメラを用いる。」（４頁左上欄１６−１９行）、
　可視蛍光や可視光などによる撮影等の「２（丸数字）　赤外蛍光以外の観察撮影光による眼底撮影」について、（４ａ）「被検眼Ｅの眼底Ｅｆを赤外蛍光以外の観察撮影光により眼底を撮影する場合には、・・・・バンドパスフィルター５に第２図に示した波長域の可視波長フィルターを用いて、このバンドパスフィルター５を観察撮影光学系の光軸上に配置する。そして、キセノンランプ１４を点灯して・・・・４００ｎｍ〜７００ｎｍの可視光が照射される。・・・・第１受光部２７に可視光によるカラー又は白黒の眼底像が結像される。また、可視蛍光による場合には、バンドパスフィルター５を可視蛍光用エキサイターフィルターとすると共に、第１光路に可視蛍光用のバリアフィルターを可視蛍光用エキサイターフィルターの照明光学系への挿入動作に連動させて挿入する。さらに、赤外光による場合には、バンドパスフィルター５を赤外透過フィルターに代えれば、第１受光部２７には赤外光による眼底像が結像される。」（５頁左上欄１行−右上欄５行）、
　「３（丸数字）　赤外蛍光による眼底撮影」について、（５ａ）「被検眼Ｅの眼底Ｅｆを赤外蛍光以外の観察撮影光により眼底を撮影する場合には、・・・・バンドパスフィルター５には第３図に示した様な波長域が７００〜８００ｎｍでピークが７５０ｎｍのエキサイターフィルターを用いて、このバンドパスフィルター５を観察撮影光学系の光軸上に配置する。・・・・バリアフィルター３０により、８２０ｎｍ〜９００ｎｍでピークが８５０ｎｍの赤外光を第２受光部２８に案内する。」（５頁右上欄６行−左下欄１３行）、
　〈第２実施例〉について、（６ａ）「本実施例は、第１実施例における第１光路上にバリアフィルター３２を挿脱自在に設けた例・・・・バリアフィルター３２は、第７図に示した様に、５２０ｎｍ〜６４０ｎｍの透過波長域で５７０ｎｍをピークとする可視蛍光を透過するものを用いる。」（５頁左下欄１６行−右下欄１行）、（７ａ）「この場合には、バンドパスフィルター５には、第６図に示した様に、４７０ｎｍ〜５２０ｎｍの透過波長域で４９０ｎｍをピークとするエキサイターフィルターを用いる。」（５頁右下欄３−６行）、
　〈第１２実施例〉について、（８ａ）「第１７図は、第１実施例におけるクイックリターンミラー２９から第２受光部２８までを省略すると共に、赤外蛍光のバリアフィルター３４及びバリアフィルター３２と同じ特性の可視蛍光用のバリアフィルター４０を撮影光学系の光軸上に挿脱自在に設けた例を示したものである。本実施例では、受光部２７が可視カラー、可視白黒、可視蛍光、赤外白黒、赤外蛍光を撮影可能に設けられている。」（７頁左上欄１７行−右上欄５行）、
　〈第１３実施例〉について、（９ａ）「第１８図は、第１実施例におけるクイックリターンミラー２９から第２受光部２８までを省略すると共に、第１受光部２７の位置に第１受光部４１ａ及び第２受光部４１ｂを有する固体撮像素素子４１を配置して、受光光学系にクイックリターンミラークイックリターンミラー４２を配設して、・・・・第１光路とし、・・・・第２光路とし、第２光路中の・・・・バリアフィルター３０と同じ特性の赤外蛍光用のバリアフィルター４４を挿脱自在に配設し、第１光路中にバリアフィルター３２と同じ特性の可視蛍光用のバリアフィルター４５を挿脱自在に設けたものである。」（７頁右上欄７−２０行）、
　〈第１４実施例〉について、（１０ａ）「第１９図は、第１８図の実施例のクイックリターンミラー４２を赤外蛍光反射、可視光透過のダイクロイックミラー４６に置き換えた例を示したものである。」（７頁左下欄２−５行）、
第１図、第２−７図、第１７図、第１８図、第１９図。
　
　刊行物２には、無散瞳眼底カメラに関して、以下の事項が記載・図示されている。
　
　第１図の実施例について、（１ｂ）「第１図に示す実施例では、・・・・単管式カラーテレビカメラ３１の撮像面が配置されている。・・・カラーテレビカメラ３１の撮像素子は可視光及び近赤外光に感度を有し、その直前には３色ストライプフィルタ３４がモザイク状に設置されており、３チャンネルの信号を得るようになっている。」（３頁右上欄１３行−左下欄３行）、（２ｂ）「第２図（ａ），（ｂ），（ｃ）はストライプフィルタ３４を構成する３色のフィルタのそれぞれの分光特性を例示し、何れも可視光を選択に透過し、７００ｎｍ以上の近赤外光を全て透過する特性を持っている。・・・・また、ダイクロイックミラー３及びフィルタ３２は、それぞれ第８図のＢに示す特性を持っている。」（３頁左下欄４−１２行）、（３ｂ）「観察の場合には、フィルタ３２は光路中から退去されており、観察光源１を点灯すると、被検眼Ｅの眼底Ｅｆは近赤外光で照射され、その反射像はカラーテレビカメラ３１の撮像面上に導かれ、モノクロモニタ１４上に近赤外光による眼底像Ｅａとして表示される。」（３頁左下欄１７行−右下欄２行）、（４ｂ）「次に撮影・・・・撮影光１６から発せられた可視光は眼底Ｅｆによって反射され、同様にカラーテレビカメラ３１の撮像面上に導かれるが、この際にフィルタ３２は撮影光源１６の発光に同期して光路中に挿入されるようにしておけば、常時点灯されている観察光源１からの近赤外光はカットされ、カラーテレビカメラ３１は眼底Ｅｆの良好なカラー信号を得ることができる。・・・・比較的簡素な構成で良好な眼底カラー静止画像を記録することが可能である。」（３頁右下欄３−１５行）、
　第５図の実施例について、（５ｂ）「また、第１図の実施例では単管式カラーテレビカメラ３１を用いたが、画像記録装置３３の解像力が充分に補償されたものであれば、記録画像をより良いものとするために３管式カラーテレビカメラを用いることも有力である。この場合の構成は第５図に示すように、各チャンネルの撮像管３１Ｒ、３１Ｇ、３１Ｂの前に分光プリズム３６が配置される。そして、分光プリズム３６の特性は、第６図の特性図に例示するように分光し得るものを用いればよい。この場合に、撮像管３１Ｂは近赤外光ＩＲにも感光可能とすれば、近赤外光に対してもモノクロモニタ１４を作動させることができる。また、分光プリズム３６の代わりに光束を３分割し、各チャンネルにそれぞれ第２図の特性をフィルタを設けてもよい。」（４頁右上欄６−２０行）、（６ｂ）「被検眼Ｅの近赤外光による静止像を記録することも可能である。」（４頁右上欄１５−１６行）、
第１図、第２図、第５図、第６図、第８図。
　
３−（４）対比・判断
　
　刊行物１に記載された赤外蛍光撮影モード・蛍光撮影モード・カラー撮影モードの選択が可能な眼底カメラは、当然に、蛍光撮影モード・赤外蛍光撮影モード・カラー撮影モードの選択が可能な撮影モード選択手段を有するものであるから、刊行物１には、
「可視蛍光用エキサイタフィルター、赤外蛍光用エキサイターフィルター及び可視波長フィルター（第２図）を照明光路上に挿脱自在に設けた照明光学系と、５２０ｎｍ〜６４０ｎｍの透過波長域の可視蛍光用のバリアフィルター（４０，４５）（第７図）及び８２０ｎｍから９００ｎｍの透過波長域の赤外蛍光用のバリアフィルター（３４，４４）（第４図）を撮影光路（第１７図の撮影光学系の光軸、第１８図の第１光路及び第２光路）に挿脱自在（（９ａ），（８ａ）の記載、第１７図、第１８図）に設けた撮影光学系と、撮像素子（（３ａ），（８ａ），（９ａ）の記載、第１７図、第１８図）を設け、被検眼の眼底を撮影するためのテレビカメラ（第１７図の第１受光部（ＣＣＤ又はＴＶカメラ）２７，第１８図の固体撮像素子４１）と、蛍光撮影モード、赤外蛍光撮影モード、カラー撮影モードの選択が可能な撮影モード選択手段と、撮影モード選択手段により、蛍光撮影モードが選択されると、照明光学系に可視蛍光用エキサイタフィルターを挿入し、撮影光学系に可視蛍光用のバリアフィルターを挿入すると共に、撮像素子からの映像信号を出力するように処理し、赤外蛍光撮影モードが選択されると、照明光学系に赤外蛍光用エキサイターフィルターを挿入し、撮影光学系に赤外蛍光用のバリアフィルターを挿入すると共に、撮像素子からの撮像信号を処理し、カラー撮影モードが選択されると、可視波長フィルターを照明光学系に挿入し、撮像素子からの映像信号を出力するように処理する信号処理手段とを備えた」眼底カメラが記載されている。
　
　刊行物１に記載された眼底カメラに係る発明と本件発明とを対比すると、刊行物１に記載された「眼底カメラ」、「可視蛍光用エキサイタフィルター」、「赤外蛍光用エキサイターフィルター」、「可視波長フィルター」、「５２０ｎｍ〜６４０ｎｍの透過波長域の可視蛍光用のバリアフィルター」、「８２０ｎｍから９００ｎｍの透過波長域の赤外蛍光用のバリアフィルター」は、本件第１発明の「眼撮影装置」、「照明用蛍光フィルタ」、「照明用赤外蛍光フィルタ」、「赤外光をカットする赤外カットフィルタ」、「緑色光を透過する撮影用蛍光フィルタ」、「赤外光を透過する撮影用赤外蛍光フィルタ」にそれぞれ相当するから、両者は、
「照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタを撮影光路に挿脱自在に設けた撮影光学系と、撮像素子を設け被検眼の眼底を撮影するためのテレビカメラと、蛍光撮影モード、赤外蛍光撮影モード、カラー撮影モードの選択が可能な撮影モード選択手段と、撮影モード選択手段により蛍光撮影モードが選択されると、照明光学系に可視蛍光用エキサイタフィルターを挿入し、撮影光学系に可視蛍光用のバリアフィルターを挿入すると共に、撮像素子からの映像信号を出力するように処理し、赤外蛍光撮影モードが選択されると、照明光学系に赤外蛍光用エキサイターフィルターを挿入し、撮影光学系に赤外蛍光用のバリアフィルターを挿入すると共に、撮像素子からの撮像信号を処理し、カラー撮影モードが選択されると、赤外カットフィルタを光学系に挿入し、撮像素子からの映像信号を出力するように処理する信号処理手段とを備えたことを特徴とする眼撮影装置。」である点で一致し、以下の点で少なくとも相違する。
　
（相違点）
　本件発明においては、「撮像素子を設け被検眼の眼底を撮影するためのテレビカメラ」として（ａ）「３色に色分解するための色分解光学系・該色分解光学系に対応し赤外及び赤色領域に感度を有するＲ撮像素子・緑色領域に感度を有するＧ撮像素子・青色領域に感度を有するＢ撮像素子を設け被検眼の眼底を撮影するためのテレビカメラ」を備えるとともに、（ｂ１）「撮影モード選択手段」が「Ｒ、Ｇ、Ｂの３つの撮像素子の１つによる単色撮影モード」が選択可能で、（ｂ２）「信号処理手段」が、「撮影モード選択手段によりＲ、Ｇ、Ｂの３つの撮像素子のうちの１つの撮像素子を選択した単色撮影モードが選択されると、赤外カットフィルタを撮影光学系に挿入し選択された撮像素子からの撮像信号を出力するように処理」する構成を備えているのに対して、
　刊行物１に記載された発明においては、「撮像素子を設け被検眼の眼底を撮影するためのテレビカメラ」は、上記（ａ）の構成を備えておらず、また、「撮影モード選択手段」が「Ｒ、Ｇ、Ｂの３つの撮像素子の１つによる単色撮影モード」が選択可能となっておらず、かつ、「信号処理手段」が上記（ｂ２）に係る処理を行う構成を備えていない点。
　
　上記（相違点）について検討する。
　刊行物２には、眼撮影装置におけるテレビカメラとして、上記（相違点）に係る（ａ）に関連する、「３色に色分解するための色分解光学系・該色分解光学系に対応し赤色領域に感度を有するＲ撮像素子・緑色領域に感度を有するＧ撮像素子・赤外及び青色領域に感度を有するＢ撮像素子を設け被検眼の眼底を撮影するためのテレビカメラ」が記載されてはいるものの、「Ｒ、Ｇ、Ｂの３つの撮像素子の１つによる単色撮影モード」や、「Ｒ、Ｇ、Ｂの３つの撮像素子のうちの１つの撮像素子を選択した単色撮影モード」が選択された時に、「信号処理手段」が、赤外カットフィルタを撮影光学系に挿入し選択された撮像素子からの撮像信号を出力するように処理することについては、記載も示唆もされていない。
　
　してみると、刊行物１に記載された眼撮影装置に係る発明に、刊行物２に記載された「３色に色分解するための色分解光学系・該色分解光学系に対応し赤色領域に感度を有するＲ撮像素子・緑色領域に感度を有するＧ撮像素子・赤外及び青色領域に感度を有するＢ撮像素子を設け被検眼の眼底を撮影するためのテレビカメラ」の技術を採用したとしても、上記（相違点）に係る（ｂ１）及び（ｂ２）の構成を得ることはできない。
　
　そして、本件発明は、上記（相違点）に係る構成を有することにより、明細書に記載の「様々な撮影モードに容易に対応することができる。」という効果を奏するものである。
　
　したがって、本件発明と刊行物１に記載された発明との他の相違点について検討するまでもなく、本件発明は、刊行物１に記載された発明と同一であるとも、刊行物１、又は刊行物１，２に記載された発明に基いて当業者が容易に発明をすることができたものであるとも、いうことはできない。
　
３−（５）むすび
　
　以上のとおりであるから、特許異議申立ての理由及び証拠によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
  よって、結論のとおり審決する。
【異議決定日】
平成１６年３月２３日（２００４．３．２３）
【訂正の要旨】
審決（決定）の【理由】欄参照。
（５４）【発明の名称】
眼撮影装置
（５７）【特許請求の範囲】
　【請求項１】　照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタ
及び赤外光をカットする赤外カットフィルタ
モード、
モード、カラー撮影モード、前記Ｒ、Ｇ、Ｂの３つの撮像素子の１つによる単色撮影モードの選択が
モード
モード
し、前記カラー撮影モードが選択されると、前記赤外カットフィルタを前記撮影光学系に挿入し前記Ｒ、Ｇ、Ｂの３つの撮像素子からの撮像信号を共に出力するように処理し、前記Ｒ、Ｇ、Ｂの３つの撮像素子のうちの１つの撮像素子を選択した前記単色撮影モードが選択されると、前記赤外カットフィルタを前記撮影光学系に挿入し選択された前記撮像素子からの撮像信号を出力するように処理
【発明の詳細な説明】
　【０００１】
　【産業上の利用分野】
　本発明は、眼科診療所等で使用される眼撮影装置に関するものである。
　【０００２】
　【従来の技術】
　従来の３管式カラーテレビカメラを備えた眼撮影装置においては、このテレビカメラからカラー信号がテレビモニタに出力され、カラーの被検眼像が映出されている。
　【０００３】
　【発明が解決しようとする課題】
　しかしながら上述の従来例においては、テレビモニタではカラーの被検眼像のみが観察されるため、位置合わせをするために単色の被検眼像を撮影する白黒のテレビカメラが別途に必要になり、不経済であるだけでなく構成が複雑化するという欠点が生ずる。
　【０００４】
　或いは、位置合わせ用に検者が直接覗く光学ファインダを備えた眼撮影装置もあるが、近赤外光を観察できないため、無散瞳眼底カメラには使用することはできない。
　【０００５】
　本発明の目的は、上述の問題点を解決し、１台のテレビカメラで位置合わせ及び被検眼像の撮影を可能とし、種々の撮影モードに対応できる眼撮影装置を提供することにある。
　【０００６】
　【課題を解決するための手段】
　上記目的を達成するための本発明に係る眼撮影装置は、照明用蛍光フィルタ及び照明用赤外蛍光フィルタを照明光路に挿脱可能に設けた照明光学系と、緑色光を透過する撮影用蛍光フィルタ及び赤外光を透過する撮影用赤外蛍光フィルタ
及び赤外光をカットする赤外カットフィルタ
モード、
モード、カラー撮影モード、前記Ｒ、Ｇ、Ｂの３つの撮像素子の１つによる単色撮影モードの選択が
モード
モード
し、前記カラー撮影モードが選択されると、前記赤外カットフィルタを前記撮影光学系に挿入し前記Ｒ、Ｇ、Ｂの３つの撮像素子からの撮像信号を共に出力するように処理し、前記Ｒ、Ｇ、Ｂの３つの撮像素子のうちの１つの撮像素子を選択した前記単色撮影モードが選択されると、前記赤外カットフィルタを前記撮影光学系に挿入し選択された前記撮像素子からの撮像信号を出力するように処理
　【０００７】
　【作用】
　上述の構成を有する眼撮影装置において、上述の構成を有する眼撮影装置において、テレビカメラに入射した光束は、色分解光学系において３色に分光され、Ｒ、Ｇ、Ｂ撮像素子でそれぞれ受光される。撮影モード選択手段により蛍光撮影
モード
モード
し、カラー撮影モードが選択されると、赤外カットフィルタを挿入しＲ、Ｇ、Ｂ撮影素子からの撮像信号を出力し、単色撮影モードが選択されると赤外カットフィルタを挿入し、選択されたＲ、Ｇ、Ｂ撮像素子の１つからの撮像信号を出力
　【０００８】
　【実施例】
　図１は無散瞳眼底カメラに応用した参考例の構成図であり、被検眼Ｅと対向している対物レンズ１の背後の光路０１上には、孔あきミラー２、光路０１から退避自在な赤外光を遮光する赤外カットフィルタ３、駆動手段４により光路０１に沿って移動されるフォーカスレンズ５、結像レンズ６、テレビカメラ７が配置され、テレビカメラ７の出力はメモリ８、装置全体を制御する信号処理手段９、テレビモニタ１０にそれぞれ接続され、信号処理手段９の出力は駆動手段４に接続されている。孔あきミラー２の入射方向の光路０２上には、レンズ１１、ストロボ管等から成る撮影用光源１２、プリズム１３、レンズ１４、赤外フィルタ１５、タングステンランプ等から成る観察用光源１６が配置されている。プリズム１３の入射方向の光路０３上には赤外光を発する指標光源１７が配置されている。
　【０００９】
　図２はテレビカメラ７の光学配置図であり、光束を光の三原色に分光し、３個の反射面２１ａ、２１ｂ、２１ｃを有する三色分解部材２１が光路０１上に配置されている。この三色分解部材２１の３個の射出開口には青色トリミングフィルタ２２、緑色トリミングフィルタ２３、赤色トリミングフィルタ２４が取り付けられ、それぞれのフィルタ２２、２３、２４の背後には撮像素子２５、２６、２７がそれぞれ配置されている。
　【００１０】
　図３は三色分解部材２１の波長分光特性のグラフ図であり、波長λに対する透過率Ｔの関係を表している。三色分解部材２１に入射した光束のうち、青色光は反射面２１ｂで右方に反射されて再び反射面２１ａで反射され、青色トリミングフィルタ２２を通り、波長分布Ｂを有する光束として撮像素子２５に受光される。また、反射面２１ｂを透過した光束のうち、緑色光は反射面２１ｃを透過し、緑色トリミングフィルタ２３を通り波長分布Ｇを有する光束として撮像素子２６に受光され、一方、赤色光は反射面２１ｃ、反射面２１ｂで反射され、赤色トリミングフィルタ２４を通り、波長分布Ｒを有する光束として撮像素子２７で受光される。そして、それぞれの撮像素子２５、２６、２７において青色（Ｂ）、緑色（Ｇ）、赤色（Ｒ）を表示するＢチャンネル、Ｇチャンネル、Ｒチャンネルのビデオ信号を作成する。
　【００１１】
　眼底観察時には、赤外カットフィルタ３を光路０１から退避させ、観察用光源１６を連続点灯する。観察用光源１６を発した光束は、赤外フィルタ１５で赤外光とされ、レンズ１４、プリズム１３、撮影用光源１２、レンズ１１を通り、孔あきミラー２で反射されて対物レンズ１を通り、被検眼Ｅの眼底Ｅｒを照明する。ここでの反射光束は同じ光路を戻り、孔あきミラー２の開口部、フォーカスレンズ５、結像レンズ６を通り、テレビカメラ７の撮像素子２５、２６、２７で受光される。テレビカメラ７からＲチャンネルのビデオ信号のみが信号処理手段９、テレビモニタ１０にそれぞれ出力され、テレビモニタ１０には赤外光による眼底像Ｐｒが映出される。この眼底像Ｐｒのピントを合わせる場合には、指標光源１７を点灯する。
　【００１２】
　指標光源１７を発した赤外光束は、プリズム１３で反射されて撮影用光源１２、レンズ１１を通り、孔あきミラー２で反射されて対物レンズ１を通り、被検眼Ｅの眼底Ｅｒを照射する。ここでの反射光束は、孔あきミラー２の開口部、フォーカスレンズ５、結像レンズ６を通り、指標像としてテレビカメラ７で受光される。Ｒチャンネルのビデオ信号のみが、テレビカメラ７から信号処理手段９に取り込まれて駆動手段４の駆動信号が作成され、駆動手段４によりフォーカスレンズ５が光路０１に沿って移動され、テレビモニタ１０に映出されている眼底像Ｐｒを自動的に合焦する。
　【００１３】
　撮影時には、赤外カットフィルタ３を光路０２に挿入し、撮影用光源１２を発光して眼底像Ｐｒをテレビカメラ７で撮影する。テレビカメラ７のＢ、Ｇ、Ｒチャンネルの全てのビデオ信号に基づいてカラーの眼底像Ｐｒが合成され、メモリ８に取り込まれて記憶され、またテレビモニタ１０にも出力されて映出される。
　【００１４】
　この実施例においては、図３に示すようにテレビカメラ７の撮像素子２５、２６、２７は赤外光に感度を有するため、撮影時には不要な赤外光を遮光するために赤外カットフィルタ３を光路０１に挿入している。赤外カットフィルタ３を光路０１に挿入すると、撮像素子２５、２６、２７には７００ｎｍ以上の波長λは受光されず、赤色用の撮像素子２７に至る光束は鎖線で示す波長分布Ｒ’を有することになる。
　【００１５】
　或いは、図４に示すように赤外カットフィルタ３を用いる代りに、可視光を反射して赤外光を透過するダイクロイックミラー３０で光路０２を分岐し、このダイクロイックミラー３０の入射方向に撮影用光源１２を配置することもできる。撮影時には、ダイクロイックミラー３０により赤外光が遮光されることになる。なお、図中にはダイクロイックミラー３０から観察用光源１６に至る光路０２上の光学部材を省略している。
　【００１６】
　図５は本発明を蛍光撮影眼底カメラに応用した実施例の構成図であり、被検眼Ｅと対向している対物レンズ３１の背後の光路０４上には、孔あきミラー３２、選択的に光路０４に挿入される蛍光フィルタ３３、赤外カットフィルタ３４及び赤外蛍光フィルタ３５、駆動手段３６により光路０４に沿って移動されるフォーカスレンズ３７、結像レンズ３８、図２に示す構成を有するテレビカメラ３９が順次に配置されている。テレビカメラ３９には、６個の選択釦４０ａ〜４０ｆを有する撮影モード選択手段４０、メモリ４１、信号処理手段４２、テレビモニタ４３が接続され、駆動手段３６に信号処理手段４２の出力が接続されている。また、孔あきミラー３２の入射方向の光路０５上には、レンズ４４、選択的に光路０５に挿入される蛍光フィルタ４５及び赤外蛍光フィルタ４６、撮影用光源４７、レンズ４８、観察用光源４９が純次に配置されている。
　【００１７】
　眼底観察時には、全てのフィルタを光路から退避し観察用光源４９を点灯する。観察用光源４９を発した光束はレンズ４８、撮影用光源４７、レンズ４４を通り、孔あきミラー３２で反射されて対物レンズ３１を通り被検眼Ｅの眼底を照明する。ここでの反射光束は同じ光路を戻り、孔あきミラー３２の開口部、フォーカスレンズ３７、結像レンズ３８を通りテレビカメラ３９の３個の撮像素子２５、２６、２７で撮像される。これらの撮像素子２５、２６、２７からＧチャンネルのビデオ信号がテレビモニタ４３に出力され、単色の眼底像Ｐｒが映出される。検者はこのテレビモニタ４３を観察しながら、装置の位置合わせを行う。
　【００１８】
　この眼底カメラは所謂パッシブオートフォーカシング機能を有する。信号処理手段４２において、テレビカメラ３９からのＧチャンネルのビデオ信号が処理され、網膜上の血管に照準が合うように緑色の駆動手段３６の駆動信号が作成され、駆動手段３６に出力される。フォーカスレンズ３７は光路０４に沿って移動され、眼底像Ｐｒのピントが合わせられる。緑色光においては、コントラストの優れた血管像が得られるため、高精度のオートフォーカスを行うことができる。なお、Ｇチャンネルの信号をピント合わせのみに使用し、撮影時には使用しない場合には、従来の眼底カメラように赤外カットフィルタ３４をテレビカメラ３９に固設することができる。
　【００１９】
　撮影時には、撮影モード選択手段４０の６個の選択釦４０ａ〜４０ｆを選択して撮影モードを決定する。蛍光撮影を行う場合に選択釦４０ａを押すと、この入力に応じて蛍光フィルタ３３、４５が光路に挿入され、撮影用光源４７が発光される。また、赤外蛍光撮影を行う場合に選択釦４０ｃを押すと、赤外蛍光フィルタ３５、４６が光路０４に挿入され、撮影用光源４７が発光される。蛍光撮影モード時には、テレビカメラ３９からＧチャンネルが取り出され、赤外蛍光撮影時にはＲチャンネルの信号のみが取り出され、蛍光像或いは赤外蛍光像がメモリ４１に記憶され、テレビモニタ４３にも映出される。なお、蛍光撮影と赤外蛍光撮影とは同時に行うことができる。
　【００２０】
　カラー撮影を行う場合には選択釦４０ｂを押し、単色撮影を行う場合には選択釦４０ｄ〜選択釦４０ｆを押す。何れの撮影モードにおいても、赤外カットフィルタ３４のみが光路０４に挿入されて撮影用光源４７が発光される。カラー撮影時には、テレビカメラ３９からＢチャンネル、Ｇチャンネル、Ｒチャンネルの全信号が取り出され、カラー像がメモリ４１に記憶され、テレビモニタ４３にも映出される。また単色撮影時には、選択手段４０の選択釦４０ｄ〜４０ｆの入力に応じて、Ｂチャンネル、Ｇチャンネル又はＲチャンネルの信号が取り出され、青色像、緑色像又は赤色像がメモリ４１に記憶されてテレビモニタ４３にも映出される。なお、撮影用光源４７の発光量は撮影モードに応じて調整されている。
　【００２１】
　この実施例では、単色画像を得るためにコンポジット信号を作成するマトリックス回路を使用しないため、良質の画像が得られる。また、本発明は眼底カメラについて説明したが、フォトスリットランプ等を使用する眼科装置にも応用可能である。
　【００２２】
　【発明の効果】
　以上説明したように本発明に係る眼撮影装置は、テレビカメラに入射した光束は、色分解光学系において３色に分光され、Ｒ、Ｇ、Ｂの撮像素子にそれぞれ受光され、撮影モード選択手段により蛍光撮影が選択されると蛍光フィルタを用いたＧの撮像素子からの撮像信号が得られ、赤外蛍光撮影が選択されると赤外蛍光フィルタを用いたＲの撮像素子からの撮像信号が得られる
など
【図面の簡単な説明】
　【図１】
　参考例の構成図である。
　【図２】
　テレビカメラの光学配置図である。
　【図３】
　三色分解部材の波長分光特性図である。
　【図４】
　照明光学系の変形例の構成図である。
　【図５】
　実施例の構成図である。
　【符号の説明】
　３、３４　赤外カットフィルタ
　５、３７　フォーカスレンズ
　７、３９　テレビカメラ
　９、４２　信号処理手段
　１０、４３　テレビモニタ
　１２、４７　撮影用光源
　１５　赤外フィルタ
　１６、４９　観察用光源
　１７　指標光源
　３３、４５　蛍光フィルタ
　３５、４６　赤外蛍光フィルタ
　４０　撮影モード選択手段